(57)【特許請求の範囲】
【請求項１】
複数の焦点検出領域のいずれかを、選択された焦点検出領域の履歴の中から、または該履歴に関わらず選択する選択手段と、
前記選択手段により選択された焦点検出領域を焦点調整を行う焦点検出領域として設定する設定手段と、
前記設定手段により設定された焦点検出領域の履歴を記録するとともに、該設定された焦点検出領域で合焦した時のフォーカスレンズの位置を示す情報を該設定された焦点検出領域に関連付けて記憶する記憶手段と、
前記記憶手段によって記憶された前記履歴の中から前記選択手段によって焦点検出領域が選択された場合、該選択された焦点検出領域に関連づけて記憶された前記フォーカスレンズの位置情報に基づいて、前記フォーカスレンズを制御するレンズ制御手段と
を有することを特徴とする撮像装置。
【請求項２】
前記記憶手段は、前記選択手段によって前記履歴に関わらずに選択して設定された焦点検出領域の履歴を記憶することを特徴とする請求項１に記載の撮像装置。
【請求項３】
前記複数の焦点検出領域の内、前記選択手段により選択されている焦点検出領域を含む少なくとも一つの焦点検出領域を表示する表示手段を更に有することを特徴とする請求項１または２に記載の撮像装置。
【請求項４】
前記選択手段は、前記記憶手段によって記憶された前記履歴の中から焦点検出領域を選択する場合、前記焦点検出領域の履歴に記憶された焦点検出領域を、記憶順が新しいものから古いものへ順次選択する予め設定された第１の操作と、記憶順が古いものから新しいものへ順次選択する予め設定された第２の操作とにより、前記複数の焦点検出領域のいずれかを選択することを特徴とする請求項１乃至３のいずれか１項に記載の撮像装置。
【請求項５】
前記レンズ制御手段は、前記設定手段により設定された焦点検出領域に焦点が合うように前記フォーカスレンズを制御することを特徴とする請求項１乃至４のいずれか１項に記載の撮像装置。
【請求項６】
前記設定手段は、前記選択手段により選択された焦点検出領域を露出の調整を行う領域として更に設定することを特徴とする請求項１乃至５のいずれか１項に記載の撮像装置。
【請求項７】
前記選択手段は、前記履歴に関わらず焦点検出領域を選択する場合、前記複数の焦点検出領域のいずれかを自動的に選択するモードと、操作部材の操作に応じて前記複数の焦点検出領域のいずれかを選択するモードのいずれかによって選択を行うことを特徴とする請求項１乃至６のいずれか１項に記載の撮像装置。
【請求項８】
前記記憶手段に記憶する前記焦点検出領域の個数を設定する記憶数設定手段を更に有し、
前記記憶手段に記憶された焦点検出領域の個数が前記記憶数設定手段により設定された個数を超えないように、前記記憶手段に記憶されている焦点検出領域の内、最も古い焦点検出領域から順に前記履歴から消去することを特徴とする請求項１乃至７のいずれか１項に記載の撮像装置。
【請求項９】
前記記憶手段に記憶された履歴を、前記撮像装置の電源をオフする動作に伴って消去することを特徴とする請求項１乃至８のいずれか１項に記載の撮像装置。
【請求項１０】
選択手段が、複数の焦点検出領域のいずれかを、選択された焦点検出領域の履歴の中から、または該履歴に関わらず選択する選択ステップと、
設定手段が、前記選択ステップにより選択された焦点検出領域を焦点調整を行う焦点検出領域として設定する設定ステップと、
記憶手段が、前記設定ステップにより設定された焦点検出領域の履歴を記録するとともに、該設定された焦点検出領域で合焦した時のフォーカスレンズの位置を示す情報を該設定された焦点検出領域に関連付けて記憶する記憶ステップと、
制御手段が、前記記憶ステップによって記憶された前記履歴の中から前記選択ステップで焦点検出領域が選択された場合、該選択された焦点検出領域に関連づけて記憶された前記フォーカスレンズの位置情報に基づいて、前記フォーカスレンズを制御するレンズ制御ステップと
を有することを特徴とする撮像装置の制御方法。
【請求項１１】
コンピュータに、請求項１乃至９のいずれか１項に記載された撮像装置の各手段として機能させるためのプログラム。
【請求項１２】
請求項１１に記載のプログラムを格納したことを特徴とするコンピュータが読み取り可能な記憶媒体。
【発明の詳細な説明】
【技術分野】
【０００１】
本発明は、撮像装置及び撮像装置におけるパラメータの設定方法に関し、より詳しくは、複数の選択肢のいずれかを設定可能なパラメータを用いて撮影を行う撮像装置及び該撮像装置におけるパラメータの設定方法に関する。
【背景技術】
【０００２】
近年では、複数の選択肢を採りうる所定のパラメータを用いて、撮像を行う撮像装置がある。その中でも、焦点調整を行う領域を定めた焦点検出領域として、複数の焦点検出領域を設けたものがある。このような複数の焦点検出領域を有する撮像装置は、通常、使用する焦点検出領域を撮影者が任意に選択可能な任意選択モードと、使用する焦点検出領域をカメラが自動的に選択する自動選択モードを備えている。
【０００３】
ここで、図３および図１４、図１５を参照して、従来の焦点検出領域の選択方法について説明する。
【０００４】
図３および図１４（ａ）〜（ｆ）、図１５（ａ）〜（ｆ）は、撮像装置の一例として、一眼レフカメラの焦点検出領域のファインダー内の表示を示す図である。図１４は焦点検出領域を横方向へ移動させる際の様子を、また、図１５は焦点検出領域を縦方向へ移動させる際の様子を示す図である。ここで示すカメラは、図３のように細線で示した４５個の焦点検出領域を有するものとする。また通常、任意選択モードでは、選択された焦点検出領域１個のみ枠が点灯して視認可能となり、他の焦点検出領域は消灯して視認できない。ここでは説明の便宜上、点灯している（選択されている）焦点検出領域を太線で示し、消灯している（選択されていない）焦点検出領域を細線で示す。
【０００５】
この場合の焦点検出領域を選択する際の操作の一例を図１４を用いて説明する。なお、ここでは、選択した焦点検出領域を左右方向に移動させるダイヤルと、上下方向に移動させるダイヤルとを含む操作部材を用い、これらのダイヤルを左右に回転させることで焦点検出領域を選択するものとして説明する。以下、前者を「左右ダイヤル」、後者を「上下ダイヤル」と呼んで区別する。
【０００６】
図１４（ａ）は中央の焦点検出領域８０を選択している状態を示し、ここだけが点灯している。ここで、焦点検出領域の任意選択モードの時、左右ダイヤルを右回転に操作すると、図１４（ｂ）のように選択された焦点検出領域が８１に移動する。その後、継続して左右ダイヤルを右回転に操作すると、８２、８３、８４へと移動していく。図１４（ｃ）のように焦点検出領域が８５へ移動した後、図１４（ｄ）に示すように最外周焦点検出領域全てが点灯する状態になる。これは、カメラが自動的に焦点検出領域を選択する自動選択モードであることを示している。この状態で焦点検出領域を確定させると、カメラが自動的に焦点検出領域を選択し、それに基づいて撮影動作に入る。
【０００７】
更に、図１４（ｄ）の状態から継続して左右ダイヤルを右回転に操作すると、図１４（ｅ）にあるように左端の焦点検出領域８６が選択される。その後、継続して左右ダイヤルを右回転に操作すると、図１４（ｆ）に示すように、８７、８８、８９、９０へと移動していく。その後、図１４（ａ）に示す中央焦点検出領域８０に戻る。同様に、左右ダイアルを左回転に操作すると、選択された焦点検出領域が左に移動し、上記説明と反対の順番で焦点検出領域が選択される。
【０００８】
次に、焦点検出領域の上下方向の選択について説明する。
【０００９】
図１５（ａ）にあるように焦点検出領域の任意選択モードで中央の領域８０を選択している状態で上下ダイヤルを右回転に操作すると、図１５（ｂ）で示す上端の焦点検出領域９１に移動する。更に続けて上下ダイヤルを右回転に操作すると、焦点検出領域９２を選択する図１５（ｃ）の状態を経て、図１５（ｄ）の状態、すなわち最外周の焦点検出領域全てが点灯し、カメラが自動的に焦点検出領域を選択する自動選択モードになる。さらに継続して上下ダイヤルを右回転に操作すると、図１５（ｅ）で示す下端の焦点検出領域９３が選択され、焦点検出領域９４へ移動する図１５（ｆ）の状態を経て、中央の焦点検出領域８０に戻る。同様に上下ダイヤルを左回転に操作すると、焦点検出領域が下に移動し、上記説明と反対の順番で焦点検出領域が選択される。
【００１０】
上述したように、左右方向と上下方向の２つの選択の操作を組み合わせて行うことにより、図３に示した全ての焦点検出領域のいずれかを選択することができる。
【００１１】
ところが、従来の選択方法では、選択可能な焦点検出領域が多い場合に、撮影者が所望の焦点検出領域を選択するのに時間が掛かってしまい、撮影タイミングを逃す恐れがあった。
【００１２】
そこで、特許文献１には、撮影者が多用する焦点検出領域を予め設定、登録しておき、任意選択モードで焦点検出領域を選択する際に、設定、登録しておいた焦点検出領域から選択できる機能が開示されている。
【００１３】
また、特許文献２には、複数の焦点検出領域の中から選択可能な焦点検出領域を限定できる機能が開示されている。
【００１４】
【特許文献１】実開平７−２９５１１号公報
【特許文献２】特開平１０−１７０８１３号公報
【発明の開示】
【発明が解決しようとする課題】
【００１５】
しかしながら、任意選択モードで焦点検出領域を選択する時、例え焦点検出領域を限定しても、左右方向と上下方向の選択を２つのダイヤルを用いて行うことに変わりはなく、操作が煩雑になることに対する根本的な解決にはなっていない。また、操作部材として、２つのダイヤルではなく、２方向、４方向、８方向などの方向検出スイッチを用いたとしても、焦点検出領域が多数の場合に撮影者が所望の焦点検出領域を選択するには時間がかかっていた。
【００１６】
また、特許文献２に記載されているように、選択可能な焦点検出領域を限定した場合、それ以外の焦点検出領域を選択することができなくなってしまっていた。
【００１７】
本発明は上記問題点に鑑みてなされたものであり、複数の選択肢のいずれかを設定可能なパラメータを用いて撮影を行う撮像装置において、選択肢の選択操作を容易にし、選択操作にかかる時間を短縮できるようにすると共に、選択肢の選択の自由度を維持することを目的とする。
【課題を解決するための手段】
【００１８】
上記目的を達成するために、本発明の撮像装置は、複数の焦点検出領域のいずれかを、選択された焦点検出領域の履歴の中から、または該履歴に関わらず選択する選択手段と、
前記選択手段により選択された焦点検出領域を焦点調整を行う焦点検出領域として設定する設定手段と、前記設定手段により設定された焦点検出領域の履歴を記録するとともに、該設定された焦点検出領域で合焦した時のフォーカスレンズの位置を示す情報を該設定された焦点検出領域に関連付けて記憶する記憶手段と、前記記憶手段によって記憶された前記履歴の中から前記選択手段によって焦点検出領域が選択された場合、該選択された焦点検出領域に関連づけて記憶された前記フォーカスレンズの位置情報に基づいて、前記フォーカスレンズを制御するレンズ制御手段とを有することを特徴とする。
【００１９】
また、本発明の撮像装置の制御方法は、選択手段が、複数の焦点検出領域のいずれかを、選択された焦点検出領域の履歴の中から、または該履歴に関わらず選択する選択ステップと、設定手段が、前記選択ステップにより選択された焦点検出領域を焦点調整を行う焦点検出領域として設定する設定ステップと、記憶手段が、前記設定ステップにより設定された焦点検出領域の履歴を記録するとともに、該設定された焦点検出領域で合焦した時のフォーカスレンズの位置を示す情報を該設定された焦点検出領域に関連付けて記憶する記憶ステップと、制御手段が、前記記憶ステップによって記憶された前記履歴の中から前記選択ステップで焦点検出領域が選択された場合、該選択された焦点検出領域に関連づけて記憶された前記フォーカスレンズの位置情報に基づいて、前記フォーカスレンズを制御するレンズ制御ステップとを有することを特徴とする。
【発明の効果】
【００２０】
本発明によれば、複数の選択肢のいずれかを設定可能なパラメータを用いて撮影を行う撮像装置において、選択肢の選択操作を容易にし、選択操作にかかる時間を短縮すると共に、選択肢の選択の自由度を維持することが可能となる。
【発明を実施するための最良の形態】
【００２１】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００２２】
図１および図２を参照して、本発明の実施の形態における撮像装置の一例として、一眼レフカメラの構成について説明する。
【００２３】
図１は、本発明の実施の形態にかかる一眼レフカメラの機能構成を示すブロック図である。図２は、図１の一眼レフカメラの外観の一例を示す図であり、図２（ａ）は上面図を、図２（ｂ）は背面図をそれぞれ示している。なお、図１及び図２において、同じ構成要素には同じ参照番号を付している。
【００２４】
１はカメラ本体、３０は着脱可能な撮影レンズであり、カメラ本体１に様々な撮影レンズを装着することが可能である。先ず、カメラ本体１の構成について説明する。
【００２５】
２はメインミラーであり、ファインダー系観察状態と撮影状態とに応じて、撮影光路内に斜設、あるいは退去される。３はサブミラーであり、メインミラー２を透過した光束をカメラ本体１の下方に向けて反射する。４は露光量を制御するためのシャッターであり、シャッター制御部５によって駆動制御される。６は固体撮像素子であり、ＣＣＤやＣＭＯＳなどである。
【００２６】
７は焦点検出部であり、結像面近傍に配置されたフィールドレンズ７ａ、反射ミラー７ｂおよび７ｅ、絞り７c、２次結像レンズ７d、複数のＣＣＤから成るエリアセンサ７ｆなどから構成されている。本実施の形態における焦点検出部７は、公知の位相差検出方式を用いており、図３に示すような、ファインダ画面内の４５ヶ所の領域について焦点検出可能なように構成されている。
【００２７】
８は撮影レンズ３０の予定結像面に配置されたピント板であり、９はファインダー光路変更用のペンタプリズムである。１０、１１はそれぞれ撮影画面内の被写体輝度を測定するための結像レンズと測光センサであり、結像レンズ１０はペンタプリズム９内の反射光路を介してピント板８と測光センサ１１を共役に関係付けている。２０はペンタプリズム８の射出面後方に配された接眼レンズであり、撮影者の眼によるピント板８の観察に使用される。なお、上記のメインミラー２、ピント板８、ペンタプリズム９、接眼レンズ２０によってファインダー光学系が構成されている。
【００２８】
２１は明るい被写体の中でも視認できる高輝度ＬＥＤであり、例えば、発光中心波長は６８０ｎｍの赤色である。２２は後述する４５個の焦点検出領域の位置を表示するためのスーパーインポーズ用液晶表示パネルである。液晶表示パネル２２は、選択された焦点検出領域の位置に相当する表示パターンのみが透過状態となり、後方の高輝度ＬＥＤ２１から発せられた光が透過状態となった表示パターンを通過する。そして、投光レンズ２３、ダイクロイックミラー２４を介し、接眼レンズ２０を通って撮影者の眼に到達する。これにより撮影者は、焦点検出領域表示パターンを視認することができる。ここで、ダイクロイックミラー２４は、光の波長６８０ｎｍ以上を反射する特性を有し、高輝度ＬＥＤ２１の光を効率良く導くと共に、撮影レンズ３０からの光をほとんど光量落ちせずにファインダー被写界像として撮影者に観察させることができる。
【００２９】
２５はファインダ−内の画面外に撮影情報を表示するためのファインダー内液晶であり、照明用ＬＥＤ２６によって照明される。このファインダー内液晶２５を透過した光は、三角プリズム２７によってファインダー内の画面外に導かれる。これにより、撮影者は各種の撮影情報を知ることができる。
【００３０】
３８は焦点検出領域履歴モードスイッチであり、ＯＮ状態でサブ電子ダイヤル４６を操作することにより、過去に選択した焦点検出領域を順番に選択していくことができる（以下、「履歴選択モード」と呼ぶ。）。３９は測光領域履歴モードスイッチであり、ＯＮ状態でサブ電子ダイヤル４６を操作することにより、過去に選択したスポット測光領域を順番に選択していくことができる。
【００３１】
４２はレリーズボタンであり、第１ストローク（例えば半押し）でＳＷ１（４２ａ）がＯＮとなり、ＡＦ（オートフォーカス）処理、ＡＥ（自動露出）処理、ＥＦ（ストロボ調光）処理などの動作開始を指示する。また、第２ストローク（例えば全押し）でＳＷ２（４２ｂ）がＯＮとなり、露光処理、現像処理、及び記録処理からなる一連の撮像処理の動作開始を指示する。
【００３２】
４４はメイン電子ダイヤルであり、撮影モードなど、カメラの状態の各種設定および焦点検出領域／スポット測光領域の選択を行うことができる。４６はサブ電子ダイヤルであり、カメラ状態の各種設定および焦点検出領域／スポット測光領域の選択を行うことができる。
【００３３】
４８は焦点検出領域選択モードスイッチである。焦点検出領域選択モードスイッチ４８を押しながら（ＯＮさせながら）メイン電子ダイヤル４４およびサブ電子ダイヤル４６を操作することにより、図３に示す４５点ある焦点検出領域の内、任意の焦点検出領域を選択することができる（任意選択モード）。また、焦点検出領域選択モードスイッチがＯＦＦ時には自動選択モードとなり、カメラが自動的に焦点検出領域を選択する。
【００３４】
４９はスポット測光領域の測光領域選択モードスイッチである。測光領域選択モードスイッチ４９を押しながら（ＯＮさせながら）メイン電子ダイヤル４４およびサブ電子ダイヤル４６を操作することにより、後述する４５点あるスポット測光領域の内、任意のスポット測光領域を選択することができる。また、測光領域選択モードスイッチがＯＦＦの時には、カメラが自動的にスポット測光領域を選択する。
【００３５】
５０はカメラ本体１全体の動作を制御するシステム制御回路、５２はシステム制御回路５０の動作用の定数、変数、プログラムなどを記憶するメモリである。
【００３６】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。
【００３７】
６０は焦点検出領域記憶部であり、任意選択モードまたは選択された焦点検出領域を、選択された順番と共に記憶する。６２はフォーカス位置情報記憶部で、焦点検出領域記憶部６０に記憶された焦点検出領域に合焦した時のフォーカスレンズの位置を示す情報（フォーカス位置情報）を記憶する。
【００３８】
６４は測光領域記憶部であり、メイン電子ダイヤル４４およびサブ電子ダイヤル４６を操作することにより選択されたスポット測光領域を、選択された順番と共に記憶する。
【００３９】
６６は記憶個数記憶部であり、後述する操作部材７０によって記憶個数設定モードになった場合にメイン電子ダイヤル４４もしくはサブ電子ダイヤル４６を操作することで設定可能な焦点検出領域およびスポット測光領域の記憶個数を記憶する。
【００４０】
７０は各種ボタンやタッチパネルなどからなる操作部である。一例として、単写／連写／セルフタイマー切り替えボタン、露出補正ボタン、日付／時間設定ボタン、各種機能の選択および切り替えを設定する選択／切り替えボタンを含む。また、ワンショットＡＦモードとサーボＡＦモードとを設定可能なＡＦモード設定スイッチなどがある。ワンショットＡＦモードでは、レリーズスイッチ４２を押してＳＷ１（４２ａ）がＯＮになった際にオートフォーカス動作を開始し、一旦合焦した場合、その合焦状態を保ち続ける。サーボＡＦモードでは、ＳＷ１（４２ａ）がＯＮになっている間、連続してオートフォーカス動作を続ける。
【００４１】
７２は電源スイッチで、カメラ本体１の電源オン、電源オフの各モードを切り替え設定することができる。７４は電源制御部で、電池検出回路、ＤＣ−ＤＣコンバータ、通電するブロックを切り替えるスイッチ回路などにより構成されている。電源制御部７４は、電池の種類及び残量の検出を行い、検出結果およびシステム制御回路５０の指示に基づいてＤＣ−ＤＣコンバータを制御し、必要な電圧を必要な期間、記録媒体を含む各部へ供給する。
【００４２】
７６はカメラ本体１と電源７８をつなぐコネクタ、７８はアルカリ電池やリチウム電池等の一次電池やＮｉＣｄ電池やＮｉＭＨ電池、Ｌｉ‐ｉｏｎ電池、Ｌｉポリマー電池等の二次電池、ＡＣアダプター等からなる電源部である。
【００４３】
次に、撮影レンズ３０の構成について説明する。
【００４４】
３０ａ及び３０ｂはレンズ、３１は絞りである。図１では便宜上２枚のレンズ３０ａ、３０ｂで示したが、実際には多数のレンズから構成されている。
【００４５】
３２は絞り３１を駆動制御する絞り制御部である。３３はフォーカスレンズ駆動用モータであり、３４は駆動ギヤなどから成るフォーカスレンズ駆動部、３５はレンズ焦点調節制御部である。ここでは、不図示のフォトカプラによってフォーカスレンズ駆動部３４に連動するパルス板（図示せず）の回転を検知して、焦点調節制御部３５に伝えている。焦点調節制御部３５は、この情報とカメラ本体１側からのレンズ駆動量の情報に基づいて、レンズ駆動用モータ３３を所定量駆動させ、レンズ３０ａを合焦位置に移動させるようになっている。
【００４６】
３６は、撮影レンズ３０全体を制御するレンズシステム制御回路である。レンズシステム制御回路３６は、動作用の定数、変数、プログラムなどを記憶するメモリを備えている。更には、撮影レンズ３０固有の番号などの識別情報、管理情報、開放絞り値や最小絞り値、焦点距離などの機能情報、現在や過去の各設定値などを保持する不揮発メモリの機能も備えている。
【００４７】
３７は、カメラ本体１と撮影レンズ３０とのインターフェースとなるマウント接点であり、カメラ本体１と撮影レンズ３０との間で制御信号、状態信号、データ信号などを伝え合うと共に、各種電圧の電流が供給される、あるいは供給する機能も備えている。
【００４８】
＜第１の実施形態＞
次に、本発明の第１の実施形態における上記構成を有するカメラの動作について説明する。
【００４９】
先ず、図４は、本第１の実施形態において、焦点検出領域記憶部６０に記憶する焦点検出領域の個数を設定する動作を示すフローチャートである。
【００５０】
システム制御回路５０は、操作部７０の操作により記憶個数設定モードに設定されたか否かを判別する（ステップＳ１１）。記憶個数設定モードになっていない場合は（ステップＳ１１でＮＯ）、記憶個数設定モードに設定されたか否かの判別を繰り返す。
【００５１】
記憶個数設定モードが設定された場合（ステップＳ１１でＹＥＳ）、撮影者はメイン電子ダイヤル４４もしくはサブ電子ダイヤル４６を操作することにより、焦点検出領域記憶部６０に記憶させる焦点検出領域の個数を入力する（ステップＳ１２）。それに応じてシステム制御回路５０は、ステップＳ１２にて入力された個数を記憶個数記憶部６６に記憶させる（ステップＳ１３）。
【００５２】
以上で、焦点検出領域記憶部６０に記憶する焦点検出領域の個数を設定する動作は終了となる（ステップＳ１４）。
【００５３】
次に、第１の実施形態における焦点検出領域の選択動作について説明する。
【００５４】
●焦点検出領域の選択動作全体の流れ
先ず、図５を参照して、焦点検出領域の選択動作の全体的な流れを説明する。
【００５５】
システム制御回路５０は、カメラ本体１の電源スイッチ７２がＯＮされたか否を判別する（ステップＳ１０１）。電源スイッチ７２がＯＮされていない場合は（ステップＳ１０１でＮＯ）、電源スイッチ７２がＯＮされるまで判別を繰り返す。
【００５６】
電源スイッチ７２がＯＮされてカメラが動作状態になると（ステップＳ１０１でＹＥＳ）、焦点検出領域選択処理を実行する（ステップＳ１０２）。焦点検出領域選択処理ではシステム制御回路５０が選択モードを判断し、判断した選択モードに応じて、後述する図６〜図８の処理を行う。
【００５７】
本第１の実施形態では選択モードとして、上述した、任意選択モード、自動選択モード、履歴選択モードの３つのモードを有する。システム制御回路５０は、焦点検出領域履歴モードスイッチ３８と焦点検出領域選択モードスイッチ４８の操作状態をそれぞれ受け取って、その組み合わせにより選択された選択モードを判断する。具体的には、焦点検出領域履歴モードスイッチ３８がＯＦＦの場合、焦点検出領域選択モードスイッチ４８がＯＮの時には任意選択モード、ＯＦＦの時には自動選択モードと判断する。また、焦点検出領域履歴モードスイッチ３８がＯＮの場合には、焦点検出領域選択モードスイッチ４８の状態にかかわらず、履歴選択モードと判断する。
【００５８】
また、詳細は後述するが、任意選択モード及び自動選択モードでは、選択された焦点検出領域と、選択された順番及びフォーカス位置情報が焦点検出領域記憶部６０及びフォーカス位置情報記憶部６２に記憶される。
【００５９】
焦点検出領域選択処理は、後述するように電源スイッチ７２がＯＦＦになると終了し、ステップＳ１０３へ進む。システム制御回路５０は、焦点検出領域記憶部６０に記憶されている焦点検出領域及び順番を消去する（ステップＳ１０３）。続いて、フォーカス位置情報記憶部６２に記憶されているフォーカス位置情報を消去し（ステップＳ１０４）、電源制御部７４によって電源部７８からカメラ本体１への電源供給を停止し（ステップＳ１０５）、一連の処理を終了する。
【００６０】
次に、ステップＳ１０２で行われる焦点検出領域選択処理について説明する。
【００６１】
●任意選択モード
図６は、選択モードとして、任意選択モードが選択されている場合の焦点検出領域選択処理を示すフローチャートである。
【００６２】
先ず、システム制御回路５０は、焦点検出領域選択モードスイッチ４８が押された状態でメイン電子ダイヤル４４およびサブ電子ダイヤル４６を操作することによる、焦点検出領域の選択を受け付ける（ステップＳ１１０）。そして、選択モードが変更されたかどうか（この場合、自動選択モードまたは履歴選択モードに変更されたか）を判断する（ステップＳ１１１）。変更されていれば、図５のステップＳ１０２に戻り、変更後の選択モードに対応した処理を行う。
【００６３】
一方、選択モードが変更されていなければ、システム制御回路５０は、レリーズスイッチＳＷ１（４２ａ）がＯＮされたか否かを判別する（ステップＳ１１２）。レリーズスイッチＳＷ１（４２ａ）がＯＮされていない場合は（ステップＳ１１２でＮＯ）、ステップＳ１２１に進んで電源スイッチ７２がＯＦＦされたか否かを判別する。ＯＮであれば、ステップＳ１１０に戻って焦点検出領域の選択を引き続き受け付け、ＯＦＦであれば図５の処理にリターンしてステップＳ１０３に進む。
【００６４】
レリーズスイッチＳＷ１（４２ａ）がＯＮの場合には（ステップＳ１１２でＹＥＳ）、システム制御回路５０は、焦点検出領域記憶部６０に記憶させる焦点検出領域の個数が記憶個数記憶部６６に記憶されているか否かを判別する（ステップＳ１１３）。記憶されていなければステップＳ１１４へ進む。一方、記憶されている場合はステップＳ１１６へ進み、すでに焦点検出領域記憶部６０に記憶されている焦点検出領域の個数が、記憶個数記憶部６６の記憶個数以上かどうかを判断し、未満である場合にはステップＳ１１４へ進む。
【００６５】
システム制御回路５０は、レリーズスイッチＳＷ１のＯＮ時に選択されている焦点検出領域を、選択された順番と共に焦点検出領域記憶部６０に記憶する（ステップＳ１１４）。続いてシステム制御回路５０は、ステップＳ１１４で記憶された焦点検出領域のフォーカス位置情報を焦点検出領域と関連付けて、フォーカス位置情報記憶部６２に記憶する（ステップＳ１１５）。
【００６６】
一方、ステップＳ１１６で、焦点検出領域記憶部６０に記憶されている焦点検出領域の個数が、記憶個数記憶部６６の記憶個数以上と判断した場合にはステップＳ１１７に進む。システム制御回路５０は、焦点検出領域記憶部６０に記憶されている焦点検出領域の中で、最も古く記憶された焦点検出領域及び順番を消去する（ステップＳ１１７）。そして、レリーズスイッチＳＷ１のＯＮ時に選択されている焦点検出領域を、選択された順番と共に焦点検出領域記憶部６０に記憶する（ステップＳ１１８）。
【００６７】
続いてシステム制御回路５０は、フォーカス位置情報記憶部６２に記憶されている、ステップＳ１１７で消去された焦点検出領域に関連付けられたフォーカス位置情報を消去する（ステップＳ１１９）。続いて新たに記憶された焦点検出領域のフォーカス位置情報を、ステップＳ１１８で記憶された焦点検出領域に関連付けてフォーカス位置情報記憶部６２に記憶する（ステップＳ１２０）。
【００６８】
ステップＳ１１５またはＳ１２０の処理後、ステップＳ１２１に進んで電源スイッチ７２がＯＦＦされたか否かを判別し、ＯＮであればステップＳ１１０に戻って上記処理を繰り返し、ＯＦＦであれば図５の処理にリターンしてステップＳ１０３に進む。
【００６９】
●自動選択モード
次に、図７に示すフローチャートを参照して、選択モードとして自動選択モードが選択されている場合の焦点検出領域選択処理について説明する。図９は、カメラが自動的に焦点検出領域を選択する場合の焦点検出領域を示す図である。
【００７０】
自動選択モードでは、先ず、システム制御回路５０は自動的に焦点検出領域を選択する（ステップＳ１３０）。ここで、複数の焦点検出領域（例えば、図９に示す焦点検出領域群１０８）が選択された場合には、複数の焦点検出領域の中でも最も焦点検出結果が良好であった焦点検出領域（図９の例では焦点検出領域１０９）を更に選択する。次に、選択モードが変更されたかどうか（この場合、任意選択モードまたは履歴選択モードに変更されたか）を判断し（ステップＳ１３１）、変更されていれば、図５のステップＳ１０２に戻り、変更後の選択モードに対応した処理を行う。
【００７１】
一方、選択モードが変更されていなければ、システム制御回路５０は、レリーズスイッチＳＷ１（４２ａ）がＯＮされたか否かを判別する（ステップＳ１３２）。レリーズスイッチＳＷ１（４２ａ）がＯＮされていない場合は（ステップＳ１３２でＮＯ）、ステップＳ１４５に進んで電源スイッチ７２がＯＦＦされたか否かを判別する。ＯＮであれば、ステップＳ１３０に戻って引き続き焦点検出領域の自動選択を行い、ＯＦＦであれば図５の処理にリターンしてステップＳ１０３に進む。
【００７２】
レリーズスイッチＳＷ１（４２ａ）がＯＮの場合には（ステップＳ１３２でＹＥＳ）、システム制御回路５０は、焦点検出領域記憶部６０に記憶させる焦点検出領域の個数が記憶個数記憶部６６に記憶されているか否かを判別する（ステップＳ１３３）。記憶されていなければステップＳ１３４へ進む。一方、記憶されている場合はステップＳ１３９へ進み、すでに焦点検出領域記憶部６０に記憶されている焦点検出領域の個数が、記憶個数記憶部６６の記憶個数以上かどうかを判断し、未満である場合にはステップＳ１３４へ進む。
【００７３】
ステップＳ１３４において、システム制御回路５０は、選択された焦点検出領域が焦点検出領域記憶部６０の中で一番新しく記憶された焦点検出領域と同一か否かを判別する。選択された焦点検出領域が一番新しく記憶された焦点検出領域と同一の場合（ステップＳ１３４でＹＥＳ）、ステップＳ１３７に進む。ステップＳ１３７において、システム制御回路５０は、焦点検出領域記憶部６０に記憶されている焦点検出領域の中で一番新しく記憶された焦点検出領域と関連付けて記憶されたフォーカス位置情報を、フォーカス位置情報記憶部６２から消去する。そして、現在のフォーカス位置情報を一番新しく記憶された焦点検出領域と関連付けて、フォーカス位置情報記憶部６２に記憶する（ステップＳ１３８）。
【００７４】
一方、選択された焦点検出領域が一番新しく記憶された焦点検出領域と異なる場合（ステップＳ１３４でＮＯ）、システム制御回路５０は、新たに選択された焦点検出領域を記憶される順番と共に、焦点検出領域記憶部６０に記憶する（ステップＳ１３５）。続いてシステム制御回路５０は、ステップＳ１３５で記憶された焦点検出領域におけるフォーカス位置情報を焦点検出領域と関連付けて、フォーカス位置情報記憶部６２に記憶する（ステップＳ１３６）。
【００７５】
また、ステップＳ１３９で、焦点検出領域記憶部６０に記憶されている焦点検出領域の個数が、記憶個数記憶部６６の記憶個数以上と判断した場合には、ステップＳ１４０に進む。ステップＳ１４０において、システム制御回路５０は、選択された焦点検出領域が焦点検出領域記憶部６０の中で一番新しく記憶された焦点検出領域と同一か否かを判別する。選択された焦点検出領域が一番新しく記憶された焦点検出領域と同一の場合（ステップＳ１４０でＹＥＳ）、ステップＳ１３７に進み、上述した処理を行う。また、選択された焦点検出領域が一番新しく記憶された焦点検出領域と異なる場合（ステップＳ１４０でＮＯ）、ステップＳ１４１に進む。システム制御回路５０は、焦点検出領域記憶部６０に記憶されている焦点検出領域の中で、最も古く記憶された焦点検出領域を消去する（ステップＳ１４１）。そして、新しく選択された焦点検出領域を、選択された順番と共に焦点検出領域記憶部６０に記憶する（ステップＳ１４２）。
【００７６】
続いてシステム制御回路５０は、フォーカス位置情報記憶部６２に記憶されている、ステップＳ１４１で消去された焦点検出領域に関連付けられたフォーカス位置情報を消去する（ステップＳ１４３）。続いて新たに記憶された焦点検出領域のフォーカス位置情報を、ステップＳ１４２で記憶された焦点検出領域に関連付けてフォーカス位置情報記憶部６２に記憶する（ステップＳ１４４）。
【００７７】
ステップＳ１３６、Ｓ１３８またはＳ１４４の処理後、ステップＳ１４５に進んで電源スイッチ７２がＯＦＦされたか否かを判別し、ＯＮであればステップＳ１３０に戻って上記処理を繰り返し、ＯＦＦであれば図５の処理にリターンしてステップＳ１０３に進む。
【００７８】
●履歴選択モード
次に、図８に示すフローチャートを参照して、選択モードとして履歴選択モードが選択されている場合の焦点検出領域選択処理について説明する。
【００７９】
先ず、焦点検出領域記憶部６０に焦点検出領域が記憶されているかどうかを判断する（ステップＳ１５０）。ここで焦点検出領域が何も記憶されていなければ、電源スイッチ７２がＯＦＦされたか否かを判別する（ステップＳ１５１）。ＯＮであれば履歴選択モードの処理を抜けて、図５のステップＳ１０２に戻り、履歴選択モード以外の選択モード（ここでは、任意選択モードまたは自動選択モード）が選択されるまで繰り返されることになる。この際、焦点検出領域記憶部６０に焦点検出領域が記憶されていない旨のメッセージを通知部５４により通知して、履歴選択モード以外の選択モードを設定するように撮影者を促すようにしても良い。
【００８０】
一方、電源スイッチ７２がＯＦＦであれば、図５の処理にリターンしてステップＳ１０３に進む。
【００８１】
焦点検出領域記憶部６０に焦点検出領域が記憶されていれば（ステップＳ１５０でＹＥＳ）、焦点検出領域記憶部６０から最も新しい焦点検出領域を読み出して選択する（ステップＳ１５２）。
【００８２】
次に、システム制御回路５０はサブ電子ダイヤル４６が操作されたか否かを判別する（ステップＳ１５３）。サブ電子ダイヤル４６が操作されていない場合は（ステップＳ１５３でＮＯ）、ステップＳ１５４において選択モードが変更されたかどうか（この場合、任意選択モードまたは自動選択モードに変更されたか）を判断する。変更されていれば、図５のステップＳ１０２に戻り、変更後の選択モードに対応した処理を行う。一方、選択モードが変更されていなければ、ステップＳ１６０に進んで電源スイッチ７２がＯＦＦされたか否かを判別し、ＯＮであればステップＳ１５３に戻り、ＯＦＦであれば図５の処理にリターンしてステップＳ１０３に進む。
【００８３】
サブ電子ダイヤル４６が操作されると（ステップＳ１５３でＹＥＳ）、システム制御回路５０は、その操作が左回りか否かを判別する（ステップＳ１５５）。左回りの場合（ステップＳ１５５でＹＥＳ）、システム制御回路５０は、現在選択されている焦点検出領域の一つ前に選択された焦点検出領域を焦点検出領域記憶部６０から読み出して選択する（ステップＳ１５６）。
【００８４】
続いてシステム制御回路５０は、ステップＳ１５６で選択された焦点検出領域に関連付けられたフォーカス位置情報をフォーカス位置情報記憶部６２から読み出し、マウント接点３７を介してレンズシステム制御回路３６へ伝える。レンズシステム制御回路３６は、このフォーカス位置情報に基づいて、焦点調整制御部３５を介してフォーカスレンズ用駆動モータ３３およびフォーカスレンズ駆動部３４を駆動することにより、撮影レンズ３０ａを移動させる（ステップＳ１５７）。
【００８５】
一方、右回りの場合（ステップＳ１５５でＮＯ）、システム制御回路５０は現在選択されている焦点検出領域の１つ後に選択された焦点検出領域を焦点検出領域記憶部６０から読み出して選択する（ステップＳ１５８）。このとき、現在選択されている焦点検出領域が最も新しい場合、焦点検出領域記憶部６０に記憶されている焦点検出領域のうち、最も古い焦点検出領域を選択する。すなわち、選択の対象はサイクリックに連続している。
【００８６】
続いてシステム制御回路５０は、ステップＳ１５８で選択された焦点検出領域に関連付けられたフォーカス位置情報をフォーカス位置情報記憶部６２から読み出し、マウント接点３７を介してレンズシステム制御回路３６へ伝える。レンズシステム制御回路３６は、このフォーカス位置情報に基づいて、焦点調整制御部３５を介してフォーカスレンズ用駆動モータ３３およびフォーカスレンズ駆動部３４を駆動することにより、撮影レンズ３０ａを移動させる（ステップＳ１５９）。
【００８７】
ステップＳ１５７またはステップＳ１５９の処理後、ステップＳ１６０に進んで電源スイッチ７２がＯＦＦされたか否かを判別し、ＯＮであればステップＳ１５３に戻って上記処理を繰り返し、ＯＦＦであれば図５の処理にリターンしてステップＳ１０３に進む。
【００８８】
上記の通り本第１の実施形態によれば、履歴選択モードが設定されている場合には、すでに記憶されている焦点検出領域の履歴を利用することで、選択肢を効果的に制限することができるので、容易且つ迅速に焦点検出領域を選択することが可能になる。また、任意選択モード及び自動選択モードが設定されている場合には、過去に選択された焦点検出領域と関係無く、新たに焦点検出領域を選択することができるので、焦点検出領域の選択の自由度を維持することができる。
【００８９】
なお、本第１の実施形態においては、電源をＯＦＦするときに、焦点検出領域及びフォーカス位置情報を消去するものとして説明したが、これに限るものではない。例えば、焦点検出領域及びフォーカス位置情報を不揮発性メモリに保存することで消去しないように構成することも勿論可能である。このように構成すると、電源をＯＮにした場合でも、履歴情報を利用することが可能となる。
【００９０】
また、本第１の実施形態においては、焦点検出領域及びフォーカス位置情報を対で記憶したが、電源ＯＦＦ時には一方を消去し、一方を記憶／保存するようにしても良い。例えば、焦点検出領域についてはユーザごとに頻繁に利用する領域に偏りがあるので、選択された領域を記憶するようにし、一方、被写体は毎回異なるものであるので、フォーカス位置情報は消去するようにしても良い。この場合、再度電源がＯＮされたときに、履歴選択モードで焦点検出領域が選択された場合には、そのときの被写体に応じたフォーカス位置情報を対応させて記憶するようにしても良い。
【００９１】
＜第２の実施形態＞
次に、本発明の第２の実施形態おける上記構成を有するカメラの動作について説明する。
【００９２】
上記第１の実施形態では、複数の焦点検出領域のいずれかを選択する処理について説明したが、第２の実施形態では、複数のスポット測光領域から測光に使用するスポット測光領域を選択する。複数のスポット測光領域は、例えば図３に示すように配置される。
【００９３】
本第２の実施形態においては、測光領域記憶部６６に記憶する焦点検出領域の個数を設定することが可能である。この設定動作は第１の実施形態で図４のフローチャートを参照して説明した動作とほぼ同様であるため説明を省略する。
【００９４】
次に、第２の実施形態におけるスポット測光領域の選択動作について説明する。
【００９５】
●スポット測光領域の選択動作全体の流れ
先ず、図１０を参照して、スポット測光領域の選択動作の全体的な流れを説明する。
【００９６】
システム制御回路５０は、カメラ本体１の電源スイッチ７２がＯＮされたか否を判別する（ステップＳ２０１）。電源スイッチ７２がＯＮされていない場合は（ステップＳ２０１でＮＯ）、電源スイッチ７２がＯＮされるまで判別を繰り返す。
【００９７】
電源スイッチ７２がＯＮされてカメラが動作状態になると（ステップＳ２０１でＹＥＳ）、スポット測光領域選択処理を実行する（ステップＳ２０２）。スポット測光領域選択処理ではシステム制御回路５０がスポット測光領域の選択モードを判断し、判断した選択モードに応じて、後述する図１１〜図１３の処理を行う。
【００９８】
本第２の実施形態では選択モードとして、第１の実施形態と同様に任意選択モード、自動選択モード、履歴選択モードの３つのモードを有するものとする。システム制御回路５０は、測光領域履歴モードスイッチ３９と測光領域選択モードスイッチ４９の操作状態をそれぞれ受け取って、その組み合わせにより選択された選択モードを判断する。具体的には、測光領域履歴モードスイッチ３９がＯＦＦの場合、測光領域選択モードスイッチ４９がＯＮの時には任意選択モード、ＯＦＦの時には自動選択モードと判断する。また、測光領域履歴モードスイッチ３９がＯＮの場合には、測光領域選択モードスイッチ４９の状態にかかわらず、履歴選択モードと判断する。
【００９９】
また、詳細は後述するが、任意選択モード及び自動選択モードでは、選択されたスポット測光領域と、選択された順番が測光領域記憶部６４に記憶される。
【０１００】
スポット測光領域選択処理は、後述するように電源スイッチ７２がＯＦＦになると終了し、ステップＳ２０３へ進む。システム制御回路５０は、測光領域記憶部６４に記憶されているスポット測光領域及び順番を消去し（ステップＳ２０３）、続いて、電源制御部７４によって電源部７８からカメラ本体１への電源供給を停止し（ステップＳ２０４）、一連の処理を終了する。
【０１０１】
次に、ステップＳ２０２で行われるスポット測光領域選択処理について説明する。
【０１０２】
●任意選択モード
図１１は、選択モードとして、任意選択モードが選択されている場合のスポット測光領域選択処理を示すフローチャートである。
【０１０３】
先ず、システム制御回路５０は、測光領域選択モードスイッチ４９が押された状態でメイン電子ダイヤル４４およびサブ電子ダイヤル４６を操作することによる、スポット測光領域の選択を受け付ける（ステップＳ２１０）。そして、選択モードが変更されたかどうか（この場合、自動選択モードまたは履歴選択モードに変更されたか）を判断する（ステップＳ２１１）。変更されていれば、図１０のステップＳ２０２に戻り、変更後の選択モードに対応した処理を行う。
【０１０４】
一方、選択モードが変更されていなければ、システム制御回路５０は、レリーズスイッチＳＷ１（４２ａ）がＯＮされたか否かを判別する（ステップＳ２１２）。レリーズスイッチＳＷ１（４２ａ）がＯＮされていない場合は（ステップＳ２１２でＮＯ）、ステップＳ２２１に進んで電源スイッチ７２がＯＦＦされたか否かを判別する。ＯＮであれば、ステップＳ２１０に戻ってスポット測光領域の選択を引き続き受け付け、ＯＦＦであれば図１０の処理にリターンしてステップＳ２０３に進む。
【０１０５】
レリーズスイッチＳＷ１（４２ａ）がＯＮの場合には（ステップＳ２１２でＹＥＳ）、システム制御回路５０は、測光領域記憶部６４に記憶させるスポット測光領域の個数が記憶個数記憶部６６に記憶されているか否かを判別する（ステップＳ２１３）。記憶されていなければステップＳ２１４へ進む。一方、記憶されている場合はステップＳ２１６へ進み、すでに測光領域記憶部６４に記憶されているスポット測光領域の個数が、記憶個数記憶部６６の記憶個数以上かどうかを判断し、未満である場合にはステップＳ２１４へ進む。
【０１０６】
システム制御回路５０は、レリーズスイッチＳＷ１のＯＮ時に選択されているスポット測光領域を、選択された順番と共に測光領域記憶部６４に記憶する（ステップＳ２１４）。
【０１０７】
一方、ステップＳ２１６で、測光領域記憶部６４に記憶されているスポット測光領域の個数が、記憶個数記憶部６６の記憶個数以上と判断した場合にはステップＳ２１７に進む。システム制御回路５０は、測光領域記憶部６４に記憶されているスポット測光領域の中で、最も古く記憶されたスポット測光領域及び順番を消去する（ステップＳ２１７）。そして、レリーズスイッチＳＷ１のＯＮ時に選択されているスポット測光領域を、選択された順番と共に測光領域記憶部６４に記憶する（ステップＳ２１８）。
【０１０８】
ステップＳ２１５またはＳ２２０の処理後、ステップＳ２２１に進んで電源スイッチ７２がＯＦＦされたか否かを判別し、ＯＮであればステップＳ２１０に戻って上記処理を繰り返し、ＯＦＦであれば図１０の処理にリターンしてステップＳ２０３に進む。
【０１０９】
●自動選択モード
次に、図１２に示すフローチャートを参照して、選択モードとして自動選択モードが選択されている場合のスポット測光領域選択処理について説明する。図９は、カメラが自動的にスポット測光領域を選択する場合（スポット測光領域自動選択モード）のファインダー内表示を示す図である。
【０１１０】
自動選択モードでは、先ず、システム制御回路５０は自動的にスポット測光領域を選択する（ステップＳ２３０）。ここで、複数のスポット測光領域（例えば、図９に示すスポット測光領域群１０８）が選択された場合には、複数のスポット測光領域の中でも最も焦点検出結果が良好であったスポット測光領域（図９の例ではスポット測光領域１０９）を更に選択する。次に、選択モードが変更されたかどうか（この場合、任意選択モードまたは履歴選択モードに変更されたか）を判断し（ステップＳ２３１）、変更されていれば、図１０のステップＳ２０２に戻り、変更後の選択モードに対応した処理を行う。
【０１１１】
一方、選択モードが変更されていなければ、システム制御回路５０は、レリーズスイッチＳＷ１（４２ａ）がＯＮされたか否かを判別する（ステップＳ２３２）。レリーズスイッチＳＷ１（４２ａ）がＯＮされていない場合は（ステップＳ２３２でＮＯ）、ステップＳ２４５に進んで電源スイッチ７２がＯＦＦされたか否かを判別する。ＯＮであれば、ステップＳ２３０に戻って引き続きスポット測光領域の自動選択を行い、ＯＦＦであれば図１０の処理にリターンしてステップＳ２０３に進む。
【０１１２】
レリーズスイッチＳＷ１（４２ａ）がＯＮの場合には（ステップＳ２３２でＹＥＳ）、システム制御回路５０は、測光領域記憶部６４に記憶させるスポット測光領域の個数が記憶個数記憶部６６に記憶されているか否かを判別する（ステップＳ２３３）。記憶されていなければステップＳ２３４へ進む。一方、記憶されている場合はステップＳ２３９へ進み、すでに測光領域記憶部６４に記憶されているスポット測光領域の個数が、記憶個数記憶部６６の記憶個数以上かどうかを判断し、未満である場合にはステップＳ２３４へ進む。
【０１１３】
ステップＳ２３４において、システム制御回路５０は、選択されたスポット測光領域が測光領域記憶部６４の中で一番新しく記憶されたスポット測光領域と同一か否かを判別する。選択されたスポット測光領域が一番新しく記憶されたスポット測光領域と同一の場合（ステップＳ２３４でＹＥＳ）、ステップＳ２４５に進む。
【０１１４】
一方、選択されたスポット測光領域が一番新しく記憶されたスポット測光領域と異なる場合（ステップＳ２３４でＮＯ）、システム制御回路５０は、新たに選択されたスポット測光領域を、順番と共に測光領域記憶部６４に記憶する（ステップＳ２３５）。その後、ステップＳ２４５に進む。
【０１１５】
また、ステップＳ２３９で、測光領域記憶部６４に記憶されているスポット測光領域の個数が、記憶個数記憶部６６の記憶個数以上と判断した場合には、ステップＳ２４０に進む。ステップＳ２４０において、システム制御回路５０は、選択されたスポット測光領域が測光領域記憶部６４の中で一番新しく記憶されたスポット測光領域と同一か否かを判別する。選択されたスポット測光領域が一番新しく記憶されたスポット測光領域と同一の場合（ステップＳ２４０でＹＥＳ）、ステップＳ２４５に進む。また、選択されたスポット測光領域が一番新しく記憶されたスポット測光領域と異なる場合（ステップＳ２４０でＮＯ）、ステップＳ２４１に進む。システム制御回路５０は、測光領域記憶部６４に記憶されているスポット測光領域の中で、最も古く記憶されたスポット測光領域を消去する（ステップＳ２４１）。そして、新しく選択されたスポット測光領域を、選択された順番と共に測光領域記憶部６４に記憶し（ステップＳ２４２）、ステップＳ２４５に進む。
【０１１６】
ステップＳ２４５では、電源スイッチ７２がＯＦＦされたか否かを判別し、ＯＮであればステップＳ２３０に戻って上記処理を繰り返し、ＯＦＦであれば図１０の処理にリターンしてステップＳ２０３に進む。
【０１１７】
●履歴選択モード
次に、図１３に示すフローチャートを参照して、選択モードとして履歴選択モードが選択されている場合のスポット測光領域選択処理について説明する。
【０１１８】
先ず、測光領域記憶部６４にスポット測光領域が記憶されているかどうかを判断する（ステップＳ２５０）。ここでスポット測光領域が何も記憶されていなければ、電源スイッチ７２がＯＦＦされたか否かを判別する（ステップＳ２５１）。ＯＮであれば履歴選択モードの処理を抜けて、図１０のステップＳ２０２に戻り、履歴選択モード以外の選択モード（ここでは、任意選択モードまたは自動選択モード）が選択されるまで繰り返されることになる。この際、測光領域記憶部６４にスポット測光領域が記憶されていない旨のメッセージを通知部５４により通知して、履歴選択モード以外の選択モードを設定するように撮影者を促すようにしても良い。
【０１１９】
一方、電源スイッチ７２がＯＦＦであれば、図１０の処理にリターンしてステップＳ２０３に進む。
【０１２０】
測光領域記憶部６４にスポット測光領域が記憶されていれば（ステップＳ２５０でＹＥＳ）、測光領域記憶部６４から最も新しいスポット測光領域を読み出して選択する（ステップＳ２５２）。
【０１２１】
次に、システム制御回路５０はサブ電子ダイヤル４６が操作されたか否かを判別する（ステップＳ２５３）。サブ電子ダイヤル４６が操作されていない場合は（ステップＳ２５３でＮＯ）、ステップＳ２５４において選択モードが変更されたかどうか（この場合、任意選択モードまたは自動選択モードに変更されたか）を判断する。変更されていれば、図１０のステップＳ２０２に戻り、変更後の選択モードに対応した処理を行う。一方、選択モードが変更されていなければ、ステップＳ２６０に進んで電源スイッチ７２がＯＦＦされたか否かを判別し、ＯＮであればステップＳ２５３に戻り、ＯＦＦであれば図１０の処理にリターンしてステップＳ２０３に進む。
【０１２２】
サブ電子ダイヤル４６が操作されると（ステップＳ２５３でＹＥＳ）、システム制御回路５０は、その操作が左回りか否かを判別する（ステップＳ２５５）。左回りの場合（ステップＳ２５５でＹＥＳ）、システム制御回路５０は、現在選択されているスポット測光領域の一つ前に選択されたスポット測光領域を測光領域記憶部６４から読み出して選択する（ステップＳ２５６）。
【０１２３】
一方、右回りの場合（ステップＳ２５５でＮＯ）、システム制御回路５０は現在選択されているスポット測光領域の１つ後に選択されたスポット測光領域を測光領域記憶部６４から読み出して選択する（ステップＳ２５８）。このとき、現在選択されているスポット測光領域が最も新しい場合、測光領域記憶部６４に記憶されているスポット測光領域のうち、最も古いスポット測光領域を選択する。すなわち、選択の対象はサイクリックに連続している。
【０１２４】
ステップＳ２５６またはステップＳ２５８の処理後、ステップＳ２６０に進んで電源スイッチ７２がＯＦＦされたか否かを判別し、ＯＮであればステップＳ２５３に戻って上記処理を繰り返し、ＯＦＦであれば図１０の処理にリターンしてステップＳ２０３に進む。
【０１２５】
上記の通り本第２の実施形態によれば、履歴選択モードが設定されている場合には、すでに記憶されているスポット測光領域の履歴を利用することで、選択肢を効果的に制限することができるので、容易且つ迅速にスポット測光領域を選択することが可能になる。また、任意選択モード及び自動選択モードが設定されている場合には、過去に選択されたスポット測光領域と関係無く、新たにスポット測光領域を選択することができるので、スポット測光領域の選択の自由度を維持することができる。
【０１２６】
なお、第２の実施形態でも、電源をＯＦＦするときに、スポット測光領域を消去するものとして説明したが、これに限るものではない。例えば、焦点検出領域及びフォーカス位置情報を不揮発性メモリに保存することで消去しないように構成することも勿論可能である。このように構成すると、電源をＯＮにした場合でも、履歴情報を利用することが可能となる。
【０１２７】
また、焦点検出領域及びスポット測光領域のいずれかが選択された場合に、他方を対応する領域に設定するようにしても良い。つまり、焦点検出領域とスポット測光領域が連動して設定されるような場合、これらを対の情報として扱うことで、履歴選択モードによる１回の操作で、両方の設定を一度に行うことが可能となる。
【０１２８】
＜他の実施形態＞
なお、本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【０１２９】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【０１３０】
【図１】本発明の実施の形態における一眼レフカメラの機能構成を示すブロック図である。
【図２】図１に示す一眼レフカメラの外観の一例を示す図である。
【図３】焦点検出領域またはスポット測光領域の配置例を示す図である。
【図４】本発明の第１の実施形態における焦点検出領域記憶部に記憶する焦点検出領域の個数を設定する動作を示すフローチャートである。
【図５】本発明の第１の実施形態における焦点検出領域の選択動作の全体的な流れを示すフローチャートである。
【図６】本発明の第１の実施形態における任意選択モードが選択されている場合の焦点検出領域選択処理を示すフローチャートである。
【図７】本発明の第１の実施形態における自動選択モードが選択されている場合の焦点検出領域選択処理を示すフローチャートである。
【図８】本発明の第１の実施形態における履歴選択モードが選択されている場合の焦点検出領域選択処理を示すフローチャートである。
【図９】本発明の第１の実施形態における自動選択モードにおいて、複数のカメラが自動的に焦点検出領域を選択する場合の焦点検出領域を示す図である。
【図１０】本発明の第２の実施形態におけるスポット測光領域の選択動作の全体的な流れを示すフローチャートである。
【図１１】本発明の第２の実施形態における任意選択モードが選択されている場合の焦点検出領域選択処理を示すフローチャートである。
【図１２】本発明の第２の実施形態における自動選択モードが選択されている場合の焦点検出領域選択処理を示すフローチャートである。
【図１３】本発明の第２の実施形態における履歴選択モードが選択されている場合の焦点検出領域選択処理を示すフローチャートである。
【図１４】従来の撮像装置において、焦点検出領域選択時に焦点検出領域を横方向へ移動させる際の様子を示す図である。
【図１５】従来の撮像装置において、焦点検出領域選択時、特に、焦点検出領域を縦方向へ移動させる際の様子を示す図である。
【符号の説明】
【０１３１】
１：カメラ本体、２：メインミラー、３：サブミラー、４：シャッター、５：シャッター制御部、６：感光部材、７：焦点検出部、８：ピント板、９：ペンタプリズム、１０：結像レンズ、１１：測光センサ、２０：接眼レンズ、２１：高輝度ＬＥＤ、２２：液晶表示パネル、２３：投光レンズ、２４：ダイクロイックミラー、２５：ファインダー内液晶、２６：照明用ＬＥＤ、２７：三角プリズム、３０：撮影レンズ、３０ａ及び３０ｂ：レンズ、３１：絞り、３２：絞り制御部、３３：フォーカスレンズ駆動用モータ、３４：フォーカスレンズ駆動部、３６：レンズシステム制御回路、３７：マウント接点、３８：焦点検出領域履歴モードスイッチ、３９：測光領域履歴モードスイッチ、４２：レリーズボタン、４４：メイン電子ダイヤル、４６：サブ電子ダイヤル、４８：焦点検出領域選択モードスイッチ、４９：測光領域選択モードスイッチ、５０：システム制御回路、５２：メモリ、５４：通知部、６０：焦点検出領域記憶部、６２：フォーカス位置情報記憶部、６４：測光領域記憶部、６６：記憶個数記憶部、７０：操作部、７２：電源スイッチ、７４：電源制御部、７６：コネクタ、７８：電源部
【図１】
0004764269.tif 000002
【図２】
0004764269.tif 000003
【図３】
0004764269.tif 000004
【図４】
0004764269.tif 000005
【図５】
0004764269.tif 000006
【図６】
0004764269.tif 000007
【図７】
0004764269.tif 000008
【図８】
0004764269.tif 000009
【図９】
0004764269.tif 000010
【図１０】
0004764269.tif 000011
【図１１】
0004764269.tif 000012
【図１２】
0004764269.tif 000013
【図１３】
0004764269.tif 000014
【図１４】
0004764269.tif 000015
【図１５】
0004764269.tif 000016